(57)【要約】【課題】  車両走行路を傷つけることなく、車両走行路の交通規制を最小限に抑え、且つ工期の短縮を図ることができる跨道橋の既設橋脚撤去方法の提供。【解決手段】  線路又は道路等の車両走行路を跨ぐ既設跨道橋の解体に際し、跨道橋の橋桁下に車両走行路を覆う防護工２，２を設置し、橋桁の上方に間隔を隔てて架設した鋼製桁３を使用して既設橋桁を撤去した後、既設橋桁を支持していた橋脚１を解体して撤去する跨道橋の既設橋脚撤去方法において、既設橋桁を撤去した後、防護工２，２上に支持させて既設橋脚１を跨ぐ配置に門型クレーン４を設置し、既設橋脚１を小ブロックａ，ａ…に解体し、その小ブロックａを門型クレーン４により吊り上げて鋼製桁３下まで横送りし、鋼製桁３に備えた移動吊り装置２１により所定位置に搬送する。【選択図】    図１
2006265884.tif 000002
【特許請求の範囲】
【請求項１】
線路又は道路等の車両走行路を跨ぐ既設跨道橋の解体に際し、該跨道橋の橋桁下に前記車両走行路を覆う防護工を設置し、前記橋桁の上方に間隔を隔てて架設した鋼製桁を使用して既設橋桁を撤去した後、該既設橋桁を支持していた橋脚を解体して撤去する跨道橋の既設橋脚撤去方法において、
前記既設橋桁を撤去した後、前記防護工上に支持させて前記既設橋脚を跨ぐ配置に門型クレーンを設置し、前記既設橋脚を小ブロックに解体し、その小ブロックを前記門型クレーンにより吊り上げて前記鋼製桁下まで横送りし、該鋼製桁に備えた移動吊り装置により所定位置に搬送することを特徴としてなる跨道橋の既設橋脚撤去方法。
【請求項２】
前記鋼製桁には、主桁部の一端側に連続した延長桁部を有するエレクションガーダーを使用し、前記主桁部の後端側を、解体しようとする跨道橋を挟む非解体部分の一方側上に、ガーダー移動台車を介して支持させるとともに、前記延長桁部を前記非解体部分の他方側上にベントを介して支持させ、然る後、前記主桁部と防護工との間に後方ベントを介在させ、該後方ベントと前記ガーダー移動台車とによって前記主桁部を２点支持させた状態で該主桁部下の橋桁を撤去した後、前記既設橋脚の撤去を行う請求項１に記載の跨道橋の既設橋脚撤去方法。
【請求項３】
既設橋脚の解体を、前記防護工上に支持させたワイヤーソーイング機をもって行う請求項１又は２に記載の跨道橋の既設橋脚撤去方法。
【発明の詳細な説明】
【技術分野】
【０００１】
本発明は、主として道路や線路等の車両走行路を跨ぐ跨道橋の架け替えに際し、車両走行路間に設置されている橋脚を解体撤去する跨道橋の既設橋脚撤去方法に関する。
【背景技術】
【０００２】
上記の如き跨道橋は、道路又は線路等の車両走行路を跨ぐ橋桁を備え、その両端を橋台及び橋脚に支持させた構造を有し、跨道橋を介して連続する道路又は線路等の既設構造体の一部を構成している。
【０００３】
老朽化や災害による破損等に起因して既設の跨道橋の架け換えを行う場合に、その跨道橋の撤去は、床版部や橋桁を撤去した後、車両走行路間に設置されている橋脚を撤去することにより行われている。
【０００４】
この既設橋脚の撤去は、例えば、車両走行路の通行を規制した上で、橋脚の周囲に防護用の建枠を設置し、その建枠内でワイヤーソーイング装置や破砕機等を用いて橋脚を多数の小ブロック、即ちクレーン等で搬送できるとともにトラック等の運搬車両に積載可能な大きさのブロックに分割し、その小ブロックを車両走行路上に設置されたクローラクレーン等を用いて運搬車両に搭載させ、その運搬車両で運び去る方法により行われている。
【０００５】
また、交通量の多い場所では、車両走行路を全面通行止めすることが困難であるため、車両走行路の一部、例えば片側車線を規制して作業ヤードを確保し、既設橋脚を跨ぐ配置に門型クレーンを設置し、解体された小ブロックを門型クレーンにより吊り上げて作業ヤード内の所定位置まで移動させ、そこでクローラクレーンを用いて運搬車両に搭載させる方法が採られている。
【発明の開示】
【発明が解決しようとする課題】
【０００６】
しかし、上述の如き従来の技術では、撤去作業中はクローラクレーンや門型クレーン等が終日車両走行路を占領している為に終日全面通行止めや片面通行規制等の規制を長期に亘って実施しなければならず、それにより迂回の強要や渋滞の発生等、近隣交通網に支障をきたすという問題があった。
【０００７】
そこで本発明は、上述の従来技術の問題を鑑み、車両走行路の交通規制を最小限に抑え、且つ工期の短縮を図ることができる跨道橋の既設橋脚撤去方法の提供を目的とする。
【課題を解決するための手段】
【０００８】
上述の如き従来の問題を解決し、所期の目的を達成するための請求項１に記載の発明は、線路又は道路等の車両走行路を跨ぐ既設跨道橋の解体に際し、該跨道橋の橋桁下に前記車両走行路を覆う防護工を設置し、前記橋桁の上方に間隔を隔てて架設した鋼製桁を使用して既設橋桁を撤去した後、該既設橋桁を支持していた橋脚を解体して撤去する跨道橋の既設橋脚撤去方法において、前記既設橋桁を撤去した後、前記防護工上に支持させて前記既設橋脚を跨ぐ配置に門型クレーンを設置し、前記既設橋脚を小ブロックに解体し、その小ブロックを前記門型クレーンにより吊り上げて前記鋼製桁下まで横送りし、該鋼製桁に備えた移動吊り装置により所定位置に搬送する跨道橋の既設橋脚撤去方法であることを特徴とする。
【０００９】
請求項２に記載の発明は、請求項１の構成に加え、前記鋼製桁には、主桁部の一端側に連続した延長桁部を有するエレクションガーダーを使用し、前記主桁部の後端側を、解体しようとする跨道橋を挟む非解体部分の一方側上に、ガーダー移動台車を介して支持させるとともに、前記延長桁部を前記非解体部分の他方側上にベントを介して支持させ、然る後、前記主桁部と防護工との間に後方ベントを介在させ、該後方ベントと前記ガーダー移動台車とによって前記主桁部を２点支持させた状態で該主桁部下の橋桁を撤去した後、前記既設橋脚の撤去を行うことを特徴とする。
【００１０】
請求項３に記載の発明は、請求項１又は２の構成に加え、既設橋脚の解体を、前記防護工上に支持させたワイヤーソーイング機をもって行うことを特徴とする。
【発明の効果】
【００１１】
本発明に係る跨道橋の既設橋脚撤去方法においては、線路又は道路等の車両走行路を跨ぐ既設跨道橋の解体に際し、該跨道橋の橋桁下に前記車両走行路を覆う防護工を設置し、前記橋桁の上方に間隔を隔てて架設した鋼製桁を使用して既設橋桁を撤去した後、該既設橋桁を支持していた橋脚を解体して撤去する跨道橋の既設橋脚撤去方法において、
前記既設橋桁を撤去した後、前記防護工上に支持させて前記既設橋脚を跨ぐ配置に門型クレーンを設置し、前記既設橋脚を小ブロックに解体し、その小ブロックを前記門型クレーンにより吊り上げて前記鋼製桁下まで横送りし、該鋼製桁に備えた移動吊り装置により所定位置に搬送することによって、車両走行路の交通規制を最小限に抑え、渋滞や迂回等の支障を緩和することができ、また、効率良く搬送することができるので工期の短縮を図ることができ、それにより施工コストも低減される。
【００１２】
前記鋼製桁には、主桁部の一端側に連続した延長桁部を有するエレクションガーダーを使用し、前記主桁部の後端側を、解体しようとする跨道橋を挟む非解体部分の一方側上に、ガーダー移動台車を介して支持させるとともに、前記延長桁部を前記非解体部分の他方側上にベントを介して支持させ、然る後、前記主桁部と防護工との間に後方ベントを介在させ、該後方ベントと前記ガーダー移動台車とによって前記主桁部を２点支持させた状態で該主桁部下の橋桁を撤去した後、前記既設橋脚の撤去を行うことによって、好適に小ブロックの搬送を行えるとともに、使用したエレクションガーダーを続いて行われる新設跨道橋の架設工事にも使用することができる。
【００１３】
既設橋脚の解体を、前記防護工上に支持させたワイヤーソーイング機をもって行うことによって、既設橋脚を好適に小ブロックに分割解体することができるとともに、車両走行路に設置されないので車両走行路を傷つけない。
【発明を実施するための最良の形態】
【００１４】
次に本発明方法の実施形態を図面に示した実施例に基づいて説明する。
【００１５】
図１、図２は、本発明方法の実施するための装置の概略構成を示し、図中符号１は既設跨道橋の橋脚、符号２は防護工、符号３は橋桁の上方に間隔を隔てて架設した鋼製桁、符号４は門型クレーン、符号５は橋脚１の解体に使用するワイヤーソーイング機である。
【００１６】
跨道橋（跨線橋を含む）は、道路又は線路等の車両走行路６を跨ぐ橋桁を備え、その両端を橋台７ａ，７ｂ及び橋脚１に支持させた構造を有し、跨道橋を介して連続する道路又は線路等の既設構造体の一部を構成している。尚、以下において、図１中既設構造体の左側を後方、右側を前方として説明する。
【００１７】
防護工２は、走行路６両側の路肩部６ａ，６ａにそれぞれ間隔を置いて立設された複数の支柱８，８…と、路肩部６ａに沿って立設させた支柱８，８…の上端に走行路方向に向けて支持させた桁枠９，９と、両桁枠９，９間に架け渡された支持用梁１０，１０…とをもって構成された支持枠体１１の上面部に防護床板１２を敷設することにより形成されている。尚、この防護工２の上面部には、その両側に手すり２ａ，２ａが設置されている。
【００１８】
各支柱８，８…は、補強用連結材１４，１４…を介して橋脚１外面又は橋台７ａ，７ｂ外面に支持されている。
【００１９】
防護床板１２は、複数の平板状の鋼製板材又はコンクリート製板材を並べて設置することにより構成されている。尚、防護床板１２は、容易に排水できるように勾配をつけて設置することが好ましい。
【００２０】
このように構成された防護工２は、走行路６，６を覆って、上方より落下してくる落下物等より走行路６を走行する車両を防護するとともに、橋脚撤去時の作業足場としても使用される。
【００２１】
鋼製桁３には、エレクションガーダーを使用し、エレクションガーダー３は、主桁部１５と、主桁部１５の前方に連続配置された延長桁部（手延桁）１６とを備え、ガーダー移動台車１８及びベント１９，２０に支持させている。
【００２２】
主桁部１５は、内部に間隔を置いて補強部材が配置された角筒状に形成され、その長さは少なくとも橋脚１、橋台７ｂ間距離より長く形成されている。
【００２３】
延長桁部１６は、主桁部１５の前方端部に固定され、主桁部１５に比べ軽量になっている。
【００２４】
この延長桁部１６は、エレクションガーダー３をその長手方向に移動させる際に、この延長桁部１６を仮支持ベント１９に支持させておくことによりガーダー３の荷重バランスを調整し、安定して移動させることができるようになっている。
【００２５】
また、エレクションガーダー３には、主桁部１５を長手方向に移動可能な移動吊り装置２１が備えられている。
【００２６】
移動吊り装置２１は、図３に示すように、主桁部１５の上面に敷設された移動用軌道２２上を走行可能な台車部２３と、該台車部２３上に支持された上側梁部２４と、該上側梁部２４の両側部より垂下された伸縮可能なチェーンブロック等の吊り装置２５，２５と、主桁部１５の下側で両吊り装置２５，２５に支持された下側梁部２６とを備え、吊り装置２５，２５を伸ばした状態で下側梁部２６に取付用金具２７を介して小ブロックａや橋桁を取り付けられる位置まで降ろされ、吊り装置２５，２５を収縮させることにより吊り上げるようになっている。
【００２７】
ガーダー移動台車１７，１８は、図４に示すように、跨道橋を挟む非解体部分の一方側３０、即ち後方の非解体部に敷設されたガーダー移動用軌道３１上を移動可能な台車部３２と、台車部３２上に支持された支持装置３３とを備えている。
【００２８】
台車部３２は、間隔をおいて平行配置された一対の支持枠体３４，３４と、両支持枠体３４，３４間に支持された支持台３５とをもって門型に形成され、支持枠体３４の下端部にガーダー移動用軌道３１のレール３１ａ上を走行するための車輪３６，３６…を備えている。
【００２９】
また、台車部３２は、支持台３５の両側部に、エレクションガーダー３の横移動を規制する規制枠体３７，３７を備えている。
【００３０】
支持装置３３は、主桁部１５を長手方向で移動不能に支持する状態と、支持を解除した状態とに操作され、主桁部１５を支持した状態でガーダー移動台車１７，１８がガーダー移動用軌道３１上を移動することによりエレクションガーダー３がその長手方向で移動でき、支持を解除した状態では移動台車１７，１８が主桁部１５下を移動できるようになっている。
【００３１】
また、ガーダー移動用軌道３１の内側部には、移送用軌道３８が敷設され、この移送用軌道３８上を移送用台車３９が走行するようになっており、この移送用台車３９は、ガーダー移動台車１７，１８の両支持枠体３４，３４間を通り抜けることができるようになっている。
【００３２】
ベント１９，２０は、防護工２上又は橋台７ａ上に枠状に組み立てられ、その上端部に送り用ローラを備え、ガーダー移動台車１７，１８によりエレクションガーダー３がその長手方向に移動する際に、その下面部を長手方向に移動可能且つ浮き上がり不能に支持するようになっている。尚、両ベント１９，２０は、エレクションガーダー３停止時にはエレクションガーダー３を移動不能に支持するようになっている。
【００３３】
門型クレーン４は、図５に示すように、それぞれ防護工２上に支持された支持枠部４０，４１と、両支持枠部４０，４１間に支持された梁部４２とを備え、既設橋脚を跨ぐ配置の門型に形成されている。
【００３４】
支持枠部４０，４１は、下端部に車輪４７，４７を備え、それぞれ防護工２上にその長手方向に向けて敷設されたクレーン移送用軌道４６のレール４６ａ上を移動できるようになっている。
【００３５】
また、門型クレーン４は、梁部４２上にその長手方向、即ち支持枠部間方向で移動可能に設置されたトロリー４３と、トロリー４３より下向きに設置された昇降可能な吊り手段４４とを備え、吊り手段４４の下端部に小ブロックａを取り付けるための取付金具ユニット４５が取り付けられている。
【００３６】
このように構成された門型クレーン４は、吊り手段４４により小ブロックａを吊り上げ、その状態で所定位置までクレーン移送用軌道４６上を移動し、その位置でさらにトロリー４３を移動させることにより、小ブロックａをエレクションガーダー３下まで横送りすることができるようになっている。
【００３７】
ワイヤーソーイング機５は、図６に示すように、防護工２上に敷設された解体機用軌道５０上を移動する装置本体５１と、該装置本体５１により循環駆動される無端状の切断用ワイヤ５２とを備え、被切断物の外周に切断予定線に沿って切断用ワイヤ５２を巻き付け、その切断用ワイヤ５２を緊張させつつ循環駆動させることにより被切断物を切断するようになっている。
【００３８】
次に、このような装置を使用した跨道橋の既設橋脚の撤去方法について説明する。
【００３９】
まず、既設橋脚１の撤去に当たり、既設の床板及び橋桁６０，６１の撤去を行う。
【００４０】
床板及び橋桁６０の撤去を行うには、図７に示すように、橋桁６０，６１下に防護工２，２を設置するとともに、床板を撤去した後の既設橋桁６０上に、エレクションガーダー３を主桁部１５が橋台７ａと橋脚１との間に架け渡されるように設置する。このとき、エレクションガーダー３は、その主桁部１５の一方の端部を既設橋桁６１上に前方ガーダー移動台車１８を介して支持させ、他方の端部を橋台７ａ上にベント１９を介して支持させ、延長桁部１６の前端部を既設構造体上に仮支持ベント６２を介して支持させている。
【００４１】
この状態で、移動吊り装置２１，２１に既設橋桁６０を吊り下げ保持させその長手方向に移動させるとともに、橋桁６０のエレクションガーダー３の後方端部に到達した部分から順次移送用台車３９に載せ替え、この移送用台車３９により移送用軌道３８を通ってその先にある作業ヤードまで撤去する。
【００４２】
橋桁６０の撤去が終了したら、次に、図８に示すように、後方ガーダー移動台車１７を前方に移動させて主桁部１５の後端部を前方ガーダー移動台車１８より後方ガーダー移動台車１７に載せ替え、この後方ガーダー移動台車１７に主桁部１５後端部を支持させ、該移動台車１７をガーダー移動用軌道３１上に沿って自走させることによりエレクションガーダー３をその長手方向後方に移動させる。
【００４３】
このとき、前方ガーダー移動台車１８は、主桁部１５を支持していない状態で現位置又はその位置より前方で待機させておき、エレクションガーダー３は、仮支持ベント６２より外れ、ベント１９を新しい仮支持ベントとして後方ガーダー移動台車１７及び仮支持ベント１９により２点支持させた状態で移動するようになっている。
【００４４】
次に、エレクションガーダー３が所定位置まで移動したら、図９に示すように、前方ガーダー移動台車１８を後方に移動させ、主桁部１５の後端部を後方ガーダー移動台車１７より載せ替え、後方ガーダー移動台車１７をエレクションガーダー３の後方に移動させる。
【００４５】
そして、防護工２上にベント２０を組み立てて、主桁部１５の前端部を後方ベント２０を介して防護工２上に支持させる。
【００４６】
これにより、エレクションガーダー３は、主桁部１５の後端部を非解体部分である橋台７ｂ上に前方ガーダー移動台車１８を介して支持させ、主桁部１５の前端部を防護工２上に後方ベント２０を介して支持させ、延長桁部１６の前端部を非解体部分である橋台７ａ上に仮支持ベント１９を介して支持させる。
【００４７】
これにより、エレクションガーダー３の移動が完了し、この状態で橋脚１と橋台７ｂとの間に架け渡された橋桁６１の撤去を行う。即ち、移動吊り装置２１，２１に解体された既設橋桁６１を吊り下げ保持させその長手方向に移動させるとともに、橋桁６１のエレクションガーダー３の後方端部に到達した部分から順次移送用台車３９に載せ替え、この移送用台車３９，３９…により移送用軌道３８を通ってその先にある作業ヤードまで撤去する。
【００４８】
既設橋桁６１の撤去が完了したら、図１に示すように、両防護工２、２がエレクションガーダー３下に現れ、この防護工２，２上に支持させ既設橋脚１を跨ぐ配置に門型クレーン４を設置するとともに、防護工２上にワイヤーソーイング機５を設置し、この状態で既設橋脚１の撤去を行う。
【００４９】
まず、ワイヤーソーイング機５を使用して既設橋脚１を複数の小ブロックａ，ａ…、即ち、クレーン及び運搬車両により運搬可能な大きさのブロックに分割する。
【００５０】
この分割された小ブロックａを取付用金具ユニット４５により吊り手段４４の下端に取り付け、門型クレーン４により吊り上げ、門型クレーン４をクレーン移動用軌道４６上で所定位置まで移動させる。
【００５１】
そして、その位置で梁部４２の長手方向、即ち支持枠部間方向でトロリー４３を移動させ、小ブロックａをエレクションガーダー３の主桁部１５下まで移動させる。即ち、門型クレーン４により小ブロックａを主桁部１５下の積み替え位置まで横送りする。
【００５２】
この所定の積み替え位置で、小ブロックａを門型クレーン４の吊り手段４４の下端より取り外し、移動吊り装置２１の両吊り装置２５，２５に支持された下側梁部２６に取り付け金具２７により取り付ける。
【００５３】
そして、両吊り装置２５，２５を収縮させて小ブロックａを移動吊り装置２１により吊り上げ、その状態で移動吊り装置２１の台車部２３を台車移動用軌道２２上を走行させて主桁部１５の長手方向後方に向けて移動させ、小ブロックａを搬送する。
【００５４】
移動吊り装置２１により小ブロックａを所定の位置、即ち前方ガーダー移動台車１８の手前まで搬送したら、吊り装置２５，２５を伸長させて小ブロックａを吊り降ろし、移送用軌道３８上に設置した移送用台車３９に載せる。
【００５５】
そして、移送用台車３９により移送用軌道３８を通ってその先にある作業ヤードまで小ブロックａを撤去し、その作業ヤードでトラック等の運搬車両に載せられる。
【００５６】
全ての小ブロックａについて上記の作業を繰り返し、既設橋脚１の撤去が完了する。
【００５７】
既設橋脚１の撤去が終了した後、エレクションガーダー３はその位置に設置したままにしておき、架け替える新しい跨道橋の設置に用いることができる。
【００５８】
尚、複数の橋脚が橋桁下に間隔を置いて配置された構造のものであってもよく、その場合には、図７〜図９及び図１に示す工程を繰り返し、順次移動しつつ各橋脚の撤去を行う。
【００５９】
また、上述の実施例では、橋脚の解体をワイヤーソーイング機で行う例について説明したが、破砕機等のその他の装置を使用して橋脚の解体を行っても良い。
【図面の簡単な説明】
【００６０】
【図１】本発明方法における橋脚撤去時の概略構成を示す側面図である。
【図２】同上の平面図である。
【図３】図１中の移動吊り装置の概略を示す正面図である。
【図４】同上のガーダー移動台車の概略を示す正面図である。
【図５】同上の門型クレーンを示す正面図である。
【図６】同上のワイヤーソーイング機の概略を示す斜視図である。
【図７】第１の既設橋桁撤去工程の状態を示す側面図である。
【図８】エレクションガーダー移動工程の状態を示す側面図である。
【図９】第２の既設橋桁撤去工程の状況を示す側面図である。
【符号の説明】
【００６１】
１  既設橋脚
２  防護工
３  エレクションガーダー
４  門型クレーン
５  ワイヤーソーイング機
６  車両走行路
７  橋台
８  支柱
９  桁枠
１０  支持用梁
１１  支持枠体
１２  防護床板
１４  補強用連結材
１５  主桁部
１６  延長桁部
１７  後方ガーダー移動台車
１８  前方ガーダー移動台車
１９，２０  ベント
２１  移動吊り装置
２２  移動用軌道
２３  台車部
２４  上側梁部
２５  吊り装置
２６  下側梁部
２７  取付用金具
３０  既設構造体一方側部
３１  ガーダー移動用軌道
３２  台車部
３３  支持装置
３４  支持枠体
３５  支持台
３６  車輪
３７  規制枠体
３８  移送用軌道
３９  移送用台車
４０，４１  支持枠部
４２  梁部
４３  トロリー
４４  吊り手段
４５  取付金具ユニット
４６  クレーン移送用軌道
４７  車輪
５０  解体機用軌道
５１  装置本体
５２  切断用ワイヤ
６０，６１  既設橋桁
６２  仮支持ベント
【図１】
2006265884.tif 000003
【図２】
2006265884.tif 000004
【図３】
2006265884.tif 000005
【図４】
2006265884.tif 000006
【図５】
2006265884.tif 000007
【図６】
2006265884.tif 000008
【図７】
2006265884.tif 000009
【図８】
2006265884.tif 000010
【図９】
2006265884.tif 000011